(57)【要約】【課題】あらゆる紙判においてレリーズストロークが等しくなるような調整可能なストッパを提供することである。【解決手段】側方で枚葉紙パイルに向かって往復運動するストッパ２９が、上側の部分３７と下側の部分３８とから成っており、下側の部分３８が、鉛直方向に移動可能に配置されていて、パイル昇降駆動装置を遮断するためのスイッチ４５と協働する。【選択図】図３
2006264986.tif 000002
【特許請求の範囲】
【請求項１】
枚葉紙を処理する機械における枚葉紙パイル形成のための装置であって、側方で枚葉紙パイルに作用するストッパが設けられている形式のものにおいて、該ストッパ（２９）が、少なくとも２つの部分から成るストッパ面（３６）を有していることを特徴とする、枚葉紙パイル形成のための装置。
【請求項２】
ストッパ面（３６）が、上側の部分（３７）と下側の部分（３８）とを有している、請求項１記載の装置。
【請求項３】
下側の部分（３８）が、鉛直方向に移動可能に支承されている、請求項２記載の装置。
【請求項４】
下側の部分（３８）が、滑子案内（５１）内に移動可能に支承されている、請求項２記載の装置。
【請求項５】
上側の部分（３７）が不動に配置されている、請求項２から４までのいずれか１項記載の装置。
【請求項６】
上側の部分（３７）が、旋回可能に配置されている、請求項２から４までのいずれか１項記載の装置。
【請求項７】
上側の部分（３７）が、フレキシブルに変位可能に配置されている、請求項２から４までのいずれか１項記載の装置。
【請求項８】
下側の部分（３８）が、特に制御カム（４４）によってスイッチ（４５）と協働する、請求項２から６までのいずれか１項記載の装置。
【請求項９】
下側の部分（３８）が、上側の部分（３７）に枢着結合されている、請求項２、３、６または８記載の装置。
【請求項１０】
下側の部分（３８）が、ストッパ平面から、該ストッパ平面の背後に置する第２の平面へ移動可能である、請求項２、４、５または８記載の装置。
【請求項１１】
ストッパ（２９）が、アクチュエータ（３４）によって枚葉紙パイル（２８）の側壁（３３）に向かって往復運動可能に支承されている、請求項１から１０までのいずれか１項記載の装置。
【請求項１２】
上側の部分（３７）と下側の部分（３８）とが、コーム状に互いに内外に係合する共通の結合縁辺部を有している、請求項２、３、４、５、６、８、９、１０または１１のいずれか１項記載の装置。
【請求項１３】
請求項１から１２までのいずれか１項記載のストッパ（３６）を備えた、枚葉紙輪転印刷機の排紙装置。
【発明の詳細な説明】
【技術分野】
【０００１】
本発明は、枚葉紙パイルの側面のためのストッパに関する。
【背景技術】
【０００２】
枚葉紙を処理する機械には、枚葉紙パイルの側面と協働する複数のストッパが配置されている。特に枚葉紙パイル形成のためには、これらのストッパが、枚葉紙を処理する機械のタイミングで往復運動するように駆動可能であり、この場合、これらのストッパは枚葉紙搬送方向に対して側方に向けられたパイル面に作用する。
【０００３】
このような装置は、ドイツ連邦共和国特許第４３２２５６１号明細書に基づき公知である。上記ドイツ連邦共和国特許明細書には、枚葉紙突き揃え装置が開示されており、この枚葉紙突き揃え装置は枚葉紙印刷機の排紙装置の側方フレームに小さな角度だけ傾動可能に支承されている。傾動運動はスイッチによって検出可能であり、かつパイル昇降装置の遮断を生ぜしめる。
【０００４】
種々異なる処理紙判に合わせてストッパを調節するために、これらのストッパは移動可能に配置されている。小さな紙判を処理する場合、パイルと協働し得るようにするために、ストッパは比較的大きく移動させられなければならない。これにより傾動支点に対するてこ腕の長さが伸びるので、パイルプレートとの接触時にスイッチをレリーズするためにはストッパの比較的大きな変位運動が必要となる。遅延されたスイッチレリーズは最悪の場合、排紙装置の部品の損傷を招く恐れがある。
【特許文献１】ドイツ連邦共和国特許第４３２２５６１号明細書
【発明の開示】
【発明が解決しようとする課題】
【０００５】
したがって、本発明の課題は、あらゆる紙判においてレリーズストロークが等しくなるような調節可能なストッパを提供することである。
【課題を解決するための手段】
【０００６】
この課題を解決するために本発明の構成では、枚葉紙を処理する機械における枚葉紙パイル形成のための装置であって、側方で枚葉紙パイルに作用するストッパが設けられている形式のものにおいて、該ストッパが、少なくとも２つの部分から成るストッパ面を有しているようにした。
【発明の効果】
【０００７】
本発明の利点は、枚葉紙突き揃え装置の損傷および枚葉紙パイル（積み紙）に前置されたグリッパブリッジの損傷が阻止されることである。互いに内外に移動可能に配置され２つのストッパ部分を有するストッパのテレスコープ式の構成または上側のストッパ部分の傾動可能な支承に基づきストッパをグリッパブリッジのすぐ下に配置することが可能となり、これによりグリッパブリッジのグリッパから突き揃え器による側方案内の開始点までの枚葉紙の落下高さをできるだけ小さく保持することが可能となる。
【０００８】
択一的な有利な別の構成では、下側の部分が上側の部分に対して移動可能に配置されていて、規定の切換えストロークの後に、設定された滑子案内によって上側の部分の背後に平行移動させられる。この手段によって上側の部分を、グリッパブリッジに対して一定の間隔で配置することができる。
【発明を実施するための最良の形態】
【０００９】
以下に、本発明を実施するための最良の形態を図面につき詳しく説明する。
【００１０】
枚葉紙７を処理する機械、たとえば印刷機１は、給紙装置２と、少なくとも１つの印刷装置３；４と、排紙装置６とを有している。枚葉紙７は枚葉紙パイル８から取り出されて、個別化されるか、またはずれ重ねられた形式でフィーダボード９を介して印刷装置３，４に供給される。これらの印刷装置３，４は公知の形式でそれぞれ版胴１１，１２を有している。版胴１１，１２はそれぞれフレキシブルな版板を固定するための装置１３，１４を有している。さらに各版胴１１，１２には半自動式または全自動式の版板交換のための装置１６、１７が対応している。
【００１１】
枚葉紙パイル８は、制御されて持ち上げ可能なパイルプレート１０に載置されている。枚葉紙７の取出しは、枚葉紙パイル８の上側から吸着ヘッド１８を用いて行われる。この吸着ヘッド１８はとりわけ、枚葉紙７を個別化するための多数の第１吸１９および第２吸２１を有している。さらに、上側の枚葉紙層をさばくためのブロー装置２２およびパイル追従案内のための吹き足２３が設けられている。枚葉紙パイル８、特に枚葉紙パイル８の上側の枚葉紙７を整直させるためには、側方および後方の複数のストッパ２４が設けられている。
【００１２】
排紙装置６はとりわけ、枚葉紙搬送方向に対して直交する横方向で間隔を置いて配置された複数のグリッパブリッジ２７を備えたチェーンデリバリシステム２６を有している。これらのグリッパブリッジ２７は枚葉紙の少なくとも１つの縁部をしっかりと保持して、そして枚葉紙パイル２８の上に落下させる。この場合、枚葉紙の後側の部分が枚葉紙ブレーキ３０によって制動される。側方のストッパ２９が設けられており、これらのストッパ２９は側方フレーム３１，３２に支承されていて、枚葉紙を側方で制限しており、この場合、良好なパイル形成が達成される。それぞれ個々のストッパ２９は枚葉紙突き揃え器として形成されている。すなわち枚葉紙パイル側面３３に向かって往復運動するアクチュエータ３４が、ストッパ２９を枚葉紙搬送方向に対して直交する横方向に運動させる。
【００１３】
ストッパ２９は主として２つの部分、つまり上側の部分３７と下側の部分３８とを有するストッパ面３６から成っている。上側の部分３７と下側の部分３８とはジョイント３９を介して互いに結合されている。アクチュエータ３４のロッド４０の端部にはホルダ４１が固定されており、このホルダ４１はストッパ２９全体を支持している。ストッパ面３６の下側の部分３８は鉛直方向のガイドロッド４２によってホルダ４１に設けられたガイド４３内に移動可能に支承されている。下側の部分３８は制御カム４４を有しており、この制御カム４４はホルダ４１に配置されたスイッチ４５と協働する。ストッパ面３６の上側の部分３７は、リンク４６によってホルダ４１に旋回可能に支承されている。パイルプレート４７もしくはこのパイルプレート４７に支承された枚葉紙パイル２８の上昇時に、残留パイルまたはパイルプレート４１自体がストッパ２９、特に下側の部分３８と接触しうる。この場合に、下側の部分３８は持ち上げられて、ホルダ４１のガイド４３内で鉛直方向上方に向かって移動させられ、この場合、ヒンジジョイント３９によって下側の部分３８に結合されたストッパプレートの上側の部分３７は、リンク４６とホルダ４１との間の枢着点４９を中心にして旋回させられる。この変位旋回運動は、グリッパブリッジ２７との衝突が回避されるように設定されている。この場合に、制御カム４４に設けられた切換え範囲はスイッチ４５と接触して、パイル持ち上げのための駆動装置を遮断する。
【００１４】
図５に示した第２の実施例では、上側の部分３７がホルダ４１に不動に配置されており、下側の部分３８はホルダ４１に配置された滑子案内５１内に摺動可能に支承されている。滑子案内５１は、上側の部分３７と共に共通の鉛直なストッパ面３６を形成する下側の部分３８が間隔ｓを有するように形成されている。下側の部分３８が持ち上げられると、間隔ｓは埋められ、この場合、ホルダ４１に配置されたスイッチ４５が下側の部分３８の制御カム４４によって操作され、その結果、パイル上昇用の駆動装置が遮断される。
【００１５】
引き続き持上げが行われると、下側の部分３８は滑子案内５１によって上側の部分３７の背後に移動させられ、ひいては共通のストッパ平面から離脱させられる。この手段により、運動させられた部分がストッパ２９の上方に配置されたグリッパブリッジ２７の領域に侵入することが阻止される。
【００１６】
ストッパプレートの上側の部分３７および下側の部分３８の共通の縁辺部が互いに内外に係合するコーム状の構成を有していると特に有利である。これによって枚葉紙の整直運動時に隙間のないストッパ面３６が形成され、このようなストッパ面３６は上側の部分３７と下側の部分３８との間を枚葉紙が滑り抜けることを阻止する。
【００１７】
図６および図７に示したさらに別の実施例では、ストッパ面３６の下側の部分３８が移動可能に支承されており、上側の部分３７がフレキシブルに、たとえばばね薄板として形成されている。上側の部分３７と下側の部分３８とは互いに固く結合されている。上側の部分３７はリンクまたはケーブル５２によってロッド４０に結合されている。下側の部分３８の突出し、ひいては下側の部分３８に結合されている上側の部分３７の突出しにより、上側の部分３７の撓みが生ぜしめられ、これによって上側の部分３７が鉛直方向の移動が阻止される。
【図面の簡単な説明】
【００１８】
【図１】枚葉紙を処理する機械の概略的な断面図である。
【図２】排紙装置の枚葉紙パイルを背後から見た断面図である。
【図３】本発明によるストッパの概略的な斜視図である。
【図４】図３に示したストッパの概略的な断面図である。
【図５】本発明の第２の実施例によるストッパの概略的な断面図である。
【図６】本発明の第３の実施例によるストッパの断面図である。
【図７】図６に示したストッパを変位された位置で示す断面図である。
【符号の説明】
【００１９】
１  印刷機、  ２  給紙装置、  ３，４  印刷装置、  ６  排紙装置、  ７  枚葉紙、  ８  枚葉紙パイル、  ９  フィーダボード、  １０  パイルプレート、  １１，１２  版胴、  １３，１４  刷版取付装置、  １６，１７  刷版チェンジャ、  １８  吸着ヘッド、  １９  第１吸、  ２１  第２吸、  ２２  ブロー装置、  ２３  吹き足、  ２４  ストッパ、  ２６  チェーンデリバリシステム、  ２７  グリッパブリッジ、  ２８  枚葉紙パイル、  ２９  ストッパ、  ３０  枚葉紙ブレーキ、  ３１，３２  側方フレーム、  ３３  枚葉紙スタック側面、  ３４  アクチュエータ、  ３６  ストッパ面、  ３７  上側の部分、  ３８  下側の部分、  ３９  ヒンジジョイント、  ４０  ロッド、  ４１  ホルダ、  ４２  ガイドロッド、  ４３  ガイド、  ４４  制御カム、  ４５  スイッチ、  ４６  リンク、  ４７  スタックプレート、  ４９  枢着点、  ５１  滑子案内、  ５２  ケーブル
【図１】
2006264986.tif 000003
【図２】
2006264986.tif 000004
【図３】
2006264986.tif 000005
【図４】
2006264986.tif 000006
【図５】
2006264986.tif 000007
【図６】
2006264986.tif 000008
【図７】
2006264986.tif 000009